(57)【要約】【課題】  本発明の目的はバッテリを産業廃棄物として処理することなく交換費用も必要とせずに揮発性メモリのバックアップ電源を確保することができるプラントコントロ−ラの電源装置を提供することにある。【解決手段】  プラントコントロ−ラ１の揮発性メモリ２は交流電源６の交流電圧を直流電圧に変換して給電される。交流電源６の停電時にはプラントに備えられている所内直流電源８から揮発性メモリ２に給電する。所内直流電源８は非常用交流電源電圧を直流電圧に変換して浮動充電されるバッテリを備える。【選択図】  図１
2006166540.tif 000002
【特許請求の範囲】
【請求項１】
所内直流電源を備えたプラントと、揮発性メモリを有するプラントコントロ−ラと、交流電圧を直流電圧に変換して前記揮発性メモリに給電する交流電源とを具備し、前記交流電源の停電時には前記所内直流電源から前記揮発性メモリに給電するようにしたことを特徴とするプラントコントローラの電源装置。
【請求項２】
プラントと、前記プラントの非常用交流電源電圧を直流電圧に変換して浮動充電されるバッテリを備えた所内直流電源と、前記プラントの制御を行う複数台のコントロ−ラと、複数台のコントロ−ラのそれぞれ設けられている揮発性メモリと、交流電圧を直流電圧に変換して前記複数台のコントロ−ラの揮発性メモリに給電する交流電源とを具備し、前記交流電源の停電時には前記所内直流電源から前記複数台のコントロ−ラの揮発性メモリに給電するようにしたことを特徴とするプラントコントローラの電源装置。
【発明の詳細な説明】
【技術分野】
【０００１】
本発明は発電プラント、化学プラントなどの制御に使用されるプラントコントロ−ラの電源装置に関する。
【背景技術】
【０００２】
一般に、発電プラント、化学プラントなどにおいては分散配置された複数台のプラントコントロ−ラにより制御するようにしている。コントロ−ラは論理演算手段とＲＯＭやＲＡＭなどのメモリから構成されている。ＲＡＭには制御演算プログラムや演算結果が格納される。
【０００３】
ＲＡＭは揮発性メモリであり、電源断時にデータが消去される。このため、電源断時にはバッテリによりバックアップしコントロ−ラのメモリ電源を確保するようにしている。このような電源バックアップについては下記特許文献1、２などに記載されている。
【０００４】
【特許文献１】特開平１０−５１９７８号公報
【特許文献２】特開２０００−２９５７８９号公報
【発明の開示】
【発明が解決しようとする課題】
【０００５】
プラントコントロ−ラのメモリバックアップ電源としてのバッテリは取扱いを簡単にすると共にコストの点から市販されているニッカド電池などが用いられている。バッテリの寿命は比較的短寿命であり、２〜３年程度で交換する必要がある。プラントコントロ−ラは大規模プラントになると数十台程設置されている。したがって、多くのバッテリを産業廃棄物として処理しなければならず、その上、交換費用も発生するという問題点を有する。
【０００６】
本発明の目的はバッテリを産業廃棄物として処理することなく交換費用も必要とせずに揮発性メモリのバックアップ電源を確保することができるプラントコントロ−ラの電源装置を提供することにある。
【課題を解決するための手段】
【０００７】
本発明の特徴とするところは、交流電圧を直流電圧に変換してプラントコントロ−ラの揮発性メモリに給電する交流電源の停電時にはプラントに備えられている所内直流電源から揮発性メモリに給電するようにしたことにある。
【０００８】
具体的には、プラントの所内直流電源は非常用交流電源電圧を直流電圧に変換して浮動充電されるバッテリを備え、交流電源の停電時には所内直流電源から複数台のコントロ−ラの揮発性メモリに給電する。
【発明の効果】
【０００９】
本発明は交流電源の停電時にプラントに備えられている所内直流電源から揮発性メモリに給電するようにしているので、バッテリを産業廃棄物として処理することなく交換費用も必要とせずに揮発性メモリのバックアップ電源を確保することができる。
【発明を実施するための最良の形態】
【００１０】
プラントは所内直流電源を備えている。所内直流電源はプラントの非常用交流電源電圧を直流電圧に変換して浮動充電されるバッテリを有している。プラントを制御する複数台のコントロ−ラはそれぞれ揮発性メモリが設けられている。交流電源は交流電圧を直流電圧に変換して複数台のコントロ−ラの揮発性メモリに給電する。交流電源の停電時には所内直流電源から複数台のコントロ−ラの揮発性メモリに給電する。
【実施例】
【００１１】
図１に本発明の一実施例を示す。
【００１２】
図１において、制御コントローラ（プラントコントローラ）１は揮発性メモリ（ＲＡＭ）２と論理演算装置３が設けられている。プラントコントローラ１は複数台設置されている。交流電源６の交流電圧（１００Ｖ）は電圧変換装置７で直流電圧に変換され揮発性メモリ２と論理演算装置３に給電される。
【００１３】
電圧変換装置７は交流―直流変換装置で、直流電圧の大きさは５Ｖ程度である。揮発性メモリ２は逆流防止用ダイオード４を介して電圧変換装置７から直流電圧を加えられる。論理演算装置３は交流電源６の遮断時（停電時）に電源バックアップ不要なものである。
【００１４】
所内直流電源８の直流電圧（１００Ｖ）は電圧変換装置９で電圧変換され、開閉器１０と逆流防止用ダイオード５を介して揮発性メモリ２に給電される。電圧変換装置９は直流―直流変換装置で、直流電圧の大きさは３Ｖ程度である。電圧変換装置９は直流―直流変換装置で、開閉器１０を介して複数台のコントローラ１に給電する。電圧変換装置９の出力側には低電圧検出装置１１が設けられている。
【００１５】
図２に所内直流電源８の一例構成図を示す。
【００１６】
図２において、非常用電源母線２１には非常用ディ−ゼル発電機２０が接続されている。
所内直流電源母線２５は開閉器２２、電圧変換装置２４および開閉器２３を介して非常用電源母線２１に接続されている。電圧変換装置２４は交流―直流変換装置で、直流電圧の大きさは１００Ｖである。
【００１７】
電圧変換装置２４の直流出力側には開閉器２６を介して浮動充電されるバッテリ２７が接続されている。バッテリ２７は通常鉛蓄電池などが使用される。また、所内直流電源母線２５にはそれぞれ開閉器２８を介して複数の所内系統２９が接続されている。
【００１８】
所内直流電源８は交流電源６の遮断時に主要機器の破損を防止するためのポンプ類の電源、遮断器の投入・遮断操作電源、ボイラや発電機などの主要機器の保護回路電源、補機類のインターロック電源、警報表示電源、非常灯用電源などに供される。図１の所内直流電源８は所内系統２９の１つとなる。
【００１９】
この構成において、交流電源６の正常時には電圧変換装置７で変換された直流電圧（５Ｖ）が揮発性メモリ２と論理演算装置３に給電される。揮発性メモリ２は逆流防止用ダイオード４を介して直流電圧を加えられる。
【００２０】
この状態にあるときに交流電源６が停電すると、所内直流電源８の非常用ディ−ゼル発電機２０を起動して非常用電源母線２１の電源確保が行われる。非常用電源母線２１の交流電圧は電圧変換装置２４により直流電圧に変換される。電圧変換装置２４の直流出力電圧は所内直流電源母線２５に加えられ、また、バッテリ２７が電圧変換装置２４の直流出力電圧により浮動充電される。
【００２１】
所内系統２９の１つである所内直流電源８の直流電圧（１００Ｖ）は電圧変換装置９で３Ｖ程度に電圧変換され、開閉器１０と逆流防止用ダイオード５を介して揮発性メモリ２に給電される。電圧変換装置９で電圧変換された直流電圧は開閉器１０を介して複数台のコントローラ１に給電される。したがって、コントロ−ラ１を構成する揮発性メモリ２のバックアップ電源を確保することができる。
【００２２】
所内直流電源８つまり電圧変換装置９の直流電圧は低電圧検出装置１１で監視される。低電圧検出装置１１はコントロ−ラ１への供給電圧がメモリ２のバックアップ電圧以下になるとメモリ２のバックアップ電源異常を保守員に通知する。
【００２３】
このようにしてプラントコントローラの揮発性メモリの電源バックアップを行うのであるが、交流電源の停電時にプラントに備えられている所内直流電源から揮発性メモリに給電するようにしているので、バッテリを産業廃棄物として処理することなく交換費用も必要とせずに揮発性メモリのバックアップ電源を確保することができる。
【図面の簡単な説明】
【００２４】
【図１】本発明の一実施形態を示す構成図である。
【図２】本発明の所内直流電源の一例構成図である。
【符号の説明】
【００２５】
１…プラントコントローラ、２…揮発性メモリ（ＲＡＭ）、３…論理演算装置、４、５…逆流防止用ダイオード、６…交流電源、７…電圧変換装置、８…所内直流電源、９…電圧変換装置、１０…開閉器、１１…低電圧検出装置、２０…非常用ディ−ゼル発電機、２１…非常用電源母線、２４…電圧変換装置、２５…所内直流電源母線、２７…バッテリ、２９…所内系統。
【図１】
2006166540.tif 000003
【図２】
2006166540.tif 000004